(57)【特許請求の範囲】
【請求項１】
舗装機械のスクリード装置にタンパ装置とスクリード加熱装置とを設けたアスファルトフィニッシャに於いて、一の回路にはスクリード加熱装置の駆動をオンオフするスクリード加熱スイッチと、該スクリード加熱スイッチのオン時に作動するタイマリレーとを直列に設け、他の回路にはタンパ装置の駆動をオンオフするタンパ駆動スイッチと、タンパモータ駆動用の電磁制御弁のソレノイドとを直列に設け、該ソレノイドとタンパ駆動スイッチとの間に前記タイマリレーの接点を介装し、前記スクリード加熱スイッチをオンしてタイマリレーが作動すると、所定時間経過後に前記タイマリレーの接点がオンとなって、前記電磁制御弁のソレノイドが励磁されるように構成されたことを特徴とするアスファルトフィニッシャのタンパ制御装置。
【発明の詳細な説明】
【０００１】
【発明の属する技術分野】
本発明はアスファルトフィニッシャのタンパ制御装置に関するものであり、特に、スクリードプレートの加熱状態に応じてタンパ装置の駆動を制御するタンパ制御装置に関するものである。
【０００２】
【従来の技術及び発明が解決しようとする課題】
従来の此種アスファルトフィニッシャのスクリード装置には、図４に示すように、スクリードプレート１の前端位置でタンパエッジ２を上下に振動させてアスファルト合材を敷き固めるタンパ装置３が備えられている。また、前記タンパエッジ２の前端位置にストライクオフ４を設け、スクリードプレート１の下面にアスファルト合材を流れ込み易くしている。該タンパ装置３の駆動源としては一般的に油圧式のタンパモータ（図示せず）が使用され、電磁制御弁にてこのタンパモータへ供給する圧油を制御している。
【０００３】
ここで、通常スクリード装置には、アスファルト合材を高温に維持しておくために、スクリード加熱装置が備えられている。図示は省略するが、該スクリード加熱装置にはガスバルブ、ブロアモータ、イグナイタ（着火装置）等が備えてあり、該スクリード加熱装置を駆動することにより、前記スクリードプレート１、タンパエッジ２、ストライクオフ４等が加熱されて、所望の舗装品質を確保している。
【０００４】
しかし、スクリードプレート１が十分に加熱されずにアスファルト合材が冷えていると、タンパエッジ２がアスファルト合材にて固着された状態である。この状態でタンパ装置３を駆動すれば、タンパ装置３に過負荷がかかってタンパモータが破損する虞がある。
【０００５】
そこで、スクリード装置が十分に過熱されるまではタンパ装置の駆動を禁止して、冷間時でのタンパモータの破損を防止するために解決すべき技術的課題が生じてくるのであり、本発明はこの課題を解決することを目的とする。
【０００６】
【課題を解決するための手段】
本発明は上記目的を達成するために提案されたものであり、舗装機械のスクリード装置にタンパ装置とスクリード加熱装置とを設けたアスファルトフィニッシャに於いて、一の回路にはスクリード加熱装置の駆動をオンオフするスクリード加熱スイッチと、該スクリード加熱スイッチのオン時に作動するタイマリレーとを直列に設け、他の回路にはタンパ装置の駆動をオンオフするタンパ駆動スイッチと、タンパモータ駆動用の電磁制御弁のソレノイドとを直列に設け、該ソレノイドとタンパ駆動スイッチとの間に前記タイマリレーの接点を介装し、前記スクリード加熱スイッチをオンしてタイマリレーが作動すると、所定時間経過後に前記タイマリレーの接点がオンとなって、前記電磁制御弁のソレノイドが励磁されるように構成されたアスファルトフィニッシャのタンパ制御装置を提供するものである。
【０００７】
【発明の実施の形態】
以下、本発明の一実施の形態を図面に従って詳述する。図１は舗装機械の一例としてアスファルトフィニッシャ１０を示し、該アスファルトフィニッシャ１０は機体の前部にアスファルト合材を受け入れるホッパ装置１１を備え、該ホッパ装置１１に受け入れたアスファルト合材を機体後部のスクリュー装置１２に搬送するコンベヤ装置１３と、機体の後方に牽引されてアスファルト合材を敷き均すスクリード装置１４等から構成されている。スクリード装置１４にはタンパ装置１５が備えられており、該タンパ装置１５を上下に振動させてアスファルト合材を敷き固める。
【０００８】
図２はタンパ装置１５の駆動回路を示し、該タンパ装置１５を駆動するタンパモータ１６は油圧源１７から供給される圧油によって回転し、タンパモータ駆動用の電磁制御弁１８にてその回転方向及び回転速度が制御される。前記タンパモータ１６と電磁制御弁１８との間には、圧力スイッチ１９と流量制御弁２０を介装してある。前記電磁制御弁１８のソレノイド２１が励磁されると、電磁制御弁１８のスプールが（ロ）位置に切り替り、前記タンパモータ１６に圧油が供給されてタンパ装置１５が駆動される。そして、流量制御弁２０の絞り開度を調整してタンク２２へ逃がす圧油の量を増減し、タンパモータ１６への圧油供給量を変更することにより、タンパモータ１６の回転速度を変速させてタンパエッジの上下速度を変更する。
【０００９】
図３はタンパ制御装置の回路を示し、一の回路２５にはスクリード加熱装置２６の駆動をオンオフするスクリード加熱スイッチ２７と、該スクリード加熱スイッチ２７のオン時に作動するタイマリレー２８とを直列に設け、他の回路２９には前述したタンパ装置１５の駆動をオンオフするタンパ駆動スイッチ３０と、タンパモータ駆動用の電磁制御弁１８のソレノイド２１とを直列に設け、該ソレノイド２１とタンパ駆動スイッチ３０との間に前記タイマリレー２８の接点３１を介装してある。従って、該タイマリレーの接点３１がオフであれば、たとえ前記タンパ駆動スイッチ３０をオンした場合であっても前記ソレノイド２１には通電されず、前記タンパモータ駆動用の電磁制御弁１８が切り替わらないため、タンパモータ１６が回転することはない。
【００１０】
いま、一の回路２５に設けた前記スクリード加熱スイッチ２７をオンすれば、前記スクリード加熱装置２６が駆動されると同時に前記タイマリレー２８が作動する。該タイマリレー２８は予め設定された時間が経過した後に接点がオンとなるように形成されているため、該タイマリレー２８がオンとなってから所定時間（例えば５分間）が経過しない場合は、他の回路２９に設けたタイマリレーの接点３１はオフである。
【００１１】
従って、前記スクリード加熱スイッチ２７をオンしてから所定時間が経過しないと、タンパ駆動スイッチ３０をオンしたとしても前記電磁制御弁１８のソレノイド２１は励磁されない。即ち、前記スクリード加熱装置２６の駆動にてスクリード装置１４がまだ加熱されていない状態ではタンパ装置１５は駆動されない。
【００１２】
そして、前記スクリード加熱スイッチ２７をオンしてから所定時間が経過したときは、タイマリレーの接点３１がオンとなり、前記スクリード加熱スイッチ２７をオンしていれば、前記電磁制御弁１８のソレノイド２１に通電されて励磁される。然るときは、前記ソレノイド２１に通電されて前記電磁制御弁１８のスプールが（ロ）位置に切り替わり、タンパモータ１６が回転してタンパ装置１５が駆動状態となる。
【００１３】
このように、スクリード加熱装置２６の駆動にてスクリード装置１４が十分に加熱された状態に至ったときに前記ソレノイド２１が励磁されてタンパモータ駆動用の電磁制御弁１８が切り替わるので、タンパエッジがアスファルト合材にて固着された状態でのタンパ装置１５の駆動が禁止され、冷間時でのタンパモータ１６の破損を防止できる。
【００１４】
尚、本発明は、本発明の精神を逸脱しない限り種々の改変を為すことができ、そして、本発明が該改変されたものに及ぶことは当然である。
【００１５】
【発明の効果】
本発明は上記一実施の形態に詳述したように、一の回路にスクリード加熱スイッチのオン時に作動するタイマリレーを設け、他の回路にタンパ駆動スイッチとタンパモータ駆動用の電磁制御弁のソレノイドとを直列に設け、該ソレノイドとタンパ駆動スイッチとの間に前記タイマリレーの接点を介装してあるので、前記スクリード加熱スイッチをオンしてから所定時間が経過しないと前記電磁制御弁のソレノイドは励磁されない。
【００１６】
従って、たとえタンパ駆動スイッチをオンしたとしても、スクリード加熱装置の駆動にてスクリード装置がまだ加熱されていない状態ではタンパ装置は駆動されない。そして、所定時間が経過してスクリード装置が十分に加熱された状態になってから前記ソレノイドが励磁されてタンパ装置が駆動されるため、冷間時にタンパがアスファルト合材にて固着された状態でのタンパの破損を防止することができる。
【図面の簡単な説明】
【図１】本発明の一実施の形態を示し、アスファルトフィニッシャの側面図
【図２】本発明の一実施の形態を示し、タンパ装置の駆動回路図。
【図３】本発明の一実施の形態を示し、タンパ制御装置の電気回路図。
【図４】従来技術を示し、タンパ装置の縦断側面図。
【符号の説明】
１０        アスファルトフィニッシャ
１５        タンパ装置
１８        電磁制御弁
２１        ソレノイド
２５        一の回路
２６        スクリード加熱装置
２７        スクリード加熱スイッチ
２８        タイマリレー
２９        他の回路
３０        ダンパ駆動スイッチ
３１        タイマリレーの接点
【図１】
0003681689.tif 000002
【図２】
0003681689.tif 000003
【図３】
0003681689.tif 000004
【図４】
0003681689.tif 000005